(57)【要約】  【課題】  電気配線の周囲の発泡断熱材の空洞をなくした冷蔵庫を提供することである。  【解決手段】  冷蔵庫１０は、外箱１１と、外箱１１に内設された内箱１２と、外箱１１と内箱１２との間の空間部１３に配された電気配線１４と、空間部１３に充填された発砲断熱材１５とを備え、内箱１２の２面が交わる溝形状のコーナー部１２ｆであって、内箱１２の２面の延長面の内側に電気配線１４を配する構成とする。【選択図】      図２
2006162144.tif 000002
【特許請求の範囲】
【請求項１】
外箱と、該外箱に内設された内箱と、前記外箱と内箱との間の空間部に配された電気配線と、前記空間部に充填された発砲断熱材とを備えた冷蔵庫において、
前記内箱の２面が交わるコーナー部であって、前記内箱の２面の延長面の内側に前記電気配線を配することを特徴とする冷蔵庫。
【請求項２】
前記コーナー部を溝形状に形成することを特徴とする請求項１記載の冷蔵庫。
【請求項３】
接着テープで前記電気配線を前記内箱に固定することを特徴とする請求項１又は２記載の冷蔵庫。
【発明の詳細な説明】
【技術分野】
【０００１】
本発明は、発砲断熱材中に電気配線を配した冷蔵庫に関するものである。
【背景技術】
【０００２】
一般に、冷蔵庫の外箱と内箱の間の空間にはウレタンフォーム等の発砲断熱材が充填されている。この空間には他に、各スイッチ、モータ等への電気配線も存在する。そして、発泡断熱材の充填時には、この電気配線の周囲に空隙が生じやすい。そのため、特許文献１では、帯状の電気配線を内箱又は外箱に密着させている。図６は従来の冷蔵庫２０の縦断面図、図７は従来の冷蔵庫２０の横断面図である。電気配線１４が内箱１２の背面に固定されている。
【特許文献１】実開平４−１１７３７３号公報
【発明の開示】
【発明が解決しようとする課題】
【０００３】
しかしながら、冷蔵庫２０では電気配線１４の位置はポイント毎に決められているだけなので、ポイント間の電気配線１４の位置は組み立てる作業者によって異なる。例えば、発泡断熱材１５の発泡成長の勢いが衰える成長部の先端に電気配線１４が位置すると、電気配線１４の周囲には発泡断熱材１５の空洞が生じてしまう。
【０００４】
本発明は、電気配線の周囲の発泡断熱材の空洞をなくした冷蔵庫を提供することを目的とする。
【課題を解決するための手段】
【０００５】
上記目的を達成するために本発明の冷蔵庫は、冷蔵庫の内箱の２面が交わるコーナー部であって、その２面の延長面の内側に電気配線を配するものである。
【０００６】
この構成によると、電気配線がコーナー部に収められているので、従来のように発泡断熱材の発泡成長の勢いが衰える成長部の先端に電気配線が位置するということがなく、電気配線が発泡断熱材の流動を妨げることがない。
【０００７】
また上記の冷蔵庫において、コーナー部を溝形状に形成することが望ましい。この溝に電気配線を収めることができるとともに、溝がリブの役割を果たし、内箱の庫内側に皺などが発生することも抑制され庫内の外観精度が向上するからである。
【０００８】
また上記の冷蔵庫において、接着テープで電気配線を内箱に固定することが望ましい。これにより、発泡断熱材の注入前や注入中に電気配線の位置がずれることがなくなる。
【発明の効果】
【０００９】
本発明によると、電気配線が発泡断熱材の流動を妨げることがないので、電気配線の周囲には発泡断熱材の空洞が生じることがない。その結果、冷蔵庫の断熱性が向上する。
【発明を実施するための最良の形態】
【００１０】
図１は冷蔵庫の縦断面図、図２は冷蔵庫の横断面図、図３は冷蔵庫の外箱の背面斜視図、図４は冷蔵庫の内箱の正面斜視図である。
【００１１】
冷蔵庫１０は、外観を形成する外箱１１と、外箱１１に内設された貯蔵庫となる内箱１２と、外箱１１と内箱１２との間の空間部１３に配された電気配線１４と、空間部１３に充填された発砲断熱材１５と、電気配線１４が接続され内箱１２の上方に配された制御回路部１６とを備える。
【００１２】
外箱１１は、図３に示すように、複数の金属板を用いて箱形に形成され、前面には開口部１１ａが形成されている。この開口部１１ａの周縁には、図２に示すように、内側に向かう外フランジ１１ｂが形成されている。また、外箱１１の背面には、２箇所に発砲断熱材１５の注入口１１ｃが設けられている。
【００１３】
内箱１２は、図４に示すように、樹脂を用いて箱形に形成され、上室１２ａと下室１２ｂとに区画されている。上室１２ａと下室１２ｂの前面にはそれぞれ開口部１２ｃ、１２ｄが形成されている。この開口部１２ｃ、１２ｄの周縁には、外側に向かう内フランジ１２ｅが形成されている。また、内箱１２（上室１２ａ及び下室１２ｂ）の背面と側面が交わるコーナー部１２ｆが溝形状に形成されている。そしてこのコーナー部１２ｆに電気配線１４の束が収められている。ここで、電気配線１４が内箱１２の背面と側面の仮想の延長面の内側に収まるように溝形状の大きさを設計することが望ましい。なお、コーナー部１２ｆは溝形状の他に平面形状としても構わない。また、内箱１２の側面どうしが交わるコーナー部にも溝を形成し、電気配線１４を収めてもよい。
【００１４】
空間部１３は、内箱１２をその内フランジ１２ｅが外フランジ１１ｂに重なるように外箱１１に内設した際に形成される。空間部１３は、注入口１１ｃを除いて密閉状態となっている。
【００１５】
電気配線１４は、制御回路部１６とファンモータ（不図示）やドアスイッチ（不図示）や温度センサ（不図示）とを結線する。電気配線１４は複数本存在するので、図２に示すように、束ねて配線することが好ましい。なお、電気配線１４は一列に帯状に束ねても構わない。つまり、電気配線１４が内箱１２の背面と側面の仮想の延長面の内側に収まればどのような束ね方でもよい。電気配線１４は接着剤や接着テープを用いてコーナー部１２ｆに固定される。図５に接着テープで電気配線１４を固定した冷蔵庫の横断面図を示す。接着テープ１７で電気配線１４を固定することで、発泡断熱材１５の注入前や注入中に電気配線１４の位置がずれることがなくなる。そして、電気配線１４の各先端部（不図示）は、外箱１１や内箱１２の小孔（不図示）から空間部１３の外側、即ち外箱１１の外側又は内箱１２の内側へ引き回され、制御回路部１６等に接続される。
【００１６】
発砲断熱材１５は、硬質ウレタンフォームを用いることができる。その充填作業時には粘性のある液体であり、充填後冷却されるにつれて発泡する性質を有している。発泡断熱材１５は、上述した注入口１１ｃから注入装置を用いて注入される。
【００１７】
上記の構成において、組み立て時には、まず内箱１２の内フランジ１２ｅを変形させながら外箱１１に内装する。このとき、複数の電気配線１４を空間部１３及びコーナー部１２ｆに配し、必要なら接着テープ１７を貼着し、更に電気配線１４の各先端部を空間部１３の外側に引き回しておく。そして、外箱１１の注入口１１ｃから発泡断熱材１５を注入する。
【００１８】
発泡断熱材を注入した際、電気配線１４がコーナー部１２ｆに収められているので、従来のように発泡断熱材１５の発泡成長の勢いが衰える成長部の先端に電気配線１４が位置するということがなく、電気配線１４が発泡断熱材１５の流動を妨げることがない。従って、電気配線１４の周囲には発泡断熱材１５の空洞が生じることがない。また、コーナー部１２ｆが溝形状に形成されることによりリブの役割を果たし、内箱１１の庫内側に皺などが発生することも抑制され、庫内の外観精度が向上する。
【００１９】
発泡断熱材１５の注入後は、所望の位置に制御回路部１６やファンモータ等の各部品を設け、空間部１３の外側に引き回された電気配線１４の各先端部を接続する。
【産業上の利用可能性】
【００２０】
本発明の冷蔵庫は、家庭用や業務用の発泡断熱材を使用した冷蔵庫に広く利用することができる。
【図面の簡単な説明】
【００２１】
【図１】は、本発明の冷蔵庫の縦断面図である。
【図２】は、本発明の冷蔵庫の横断面図である。
【図３】は、本発明の冷蔵庫の外箱の背面斜視図である。
【図４】は、本発明の冷蔵庫の内箱の正面斜視図である。
【図５】は、本発明の接着テープで電気配線を固定した冷蔵庫の横断面図である。
【図６】は、従来の冷蔵庫の縦断面図である。
【図７】は、従来の冷蔵庫の横断面図である。
【符号の説明】
【００２２】
１０    冷蔵庫
１１    外箱
１２    内箱
１３    空間部
１４    電気配線
１５    発泡断熱材
１７    接着テープ
【図１】
2006162144.tif 000003
【図２】
2006162144.tif 000004
【図３】
2006162144.tif 000005
【図４】
2006162144.tif 000006
【図５】
2006162144.tif 000007
【図６】
2006162144.tif 000008
【図７】
2006162144.tif 000009